(57)【特許請求の範囲】
【請求項１】
便鉢部を有する便器本体の上面に載置されて固定される便器装置であって、
前記便器本体に固定された際、
前記便鉢部の上方で起伏する便座と、
この便座の横幅寸法と同じ横幅寸法であり、前記便器本体の後部上面から上方に伸びる支持部材と、
この支持部材に取り付けられ、この支持部材の左右側部の少なくとも一方から前方に伸びる肘掛部材と、
を備え、
前記支持部材は、前記便器本体の上面に固定され、前記肘掛部材を接続して支持するフレームと、このフレームを覆うカバーとを有しており、
前記肘掛部材は、前記フレームが有する縦フレームに接続されて前方に延びており、
前記カバーは、前記フレームと前記肘掛部材との接続部分を隠蔽していることを特徴とする便器装置。
【請求項２】
前記肘掛部材の肘掛本体は、外側に広がりながら湾曲していることを特徴とする請求項１記載の便器装置。
【請求項３】
前記便鉢部に洗浄水を供給する洗浄装置を備え、
前記カバーは、前記洗浄装置の前方側を覆う背もたれ部材を有していることを特徴とする請求項１または２記載の便器装置。
【請求項４】
前記洗浄装置は、前記カバーに覆われており、前記便器本体の後部上面に固定されていることを特徴とする請求項３記載の便器装置。
【請求項５】
前記フレームは前記洗浄装置を前記便器本体の後部上面に固定するとともに前記便器本体に固定されることを特徴とする請求項４記載の便器装置。
【発明の詳細な説明】
【技術分野】
【０００１】
本発明は便器装置に関するものである。
【背景技術】
【０００２】
特許文献１は従来の便器装置を開示している。この便器装置は便鉢部を有する便器本体の上面に載置されて固定される。この便器装置は、便座、便蓋、支持部材、及び一対の肘掛部材を有している。便座及び便蓋は便器本体の後部上面に固定された局部洗浄装置等を覆うカバーに回動自在に軸支されている。支持部材は略長方形状のプレートの左右両側部を同じ方向に屈曲させた形状である。支持部材は、左右両側部が便器本体の上面から立ち上がった状態に便器本体の後部上面に固定され、カバーに覆われている。各肘掛部材は、張出部、立ち上り部、及び肘掛部を有している。張出部は、支持部材の左右両側部の外側面に接続され、左右外側に伸びている。この張出部はカバーの左右側面から突出している。立ち上り部は張出部の外側端部に連続している。この張出部は、便器装置が便器本体に固定された際、上方に伸びている。肘掛部は立ち上り部の上端部に連続している。この肘掛部は、便器装置が便器本体に固定された際、便器本体の前後方向に伸びている。肘掛部は便座に着座した便器使用者の左右両側で肘をもたせかけやすい高さに位置する。この便器装置は、便座、便蓋、及び肘掛部材を同時に便器本体に取り付けることができる。また、この便器装置は肘掛部材が便器本体に固定されるため、床面に取り付け固定される肘掛部材に比べて、肘掛部材が邪魔にならず床面の掃除等を行うことができる。
【先行技術文献】
【特許文献】
【０００３】
【特許文献１】特開２００１−３６３号公報
【発明の概要】
【発明が解決しようとする課題】
【０００４】
しかし、特許文献１の便器装置は、肘掛部材を固定している支持部材の左右両側部がカバー内に位置し、この左右両側部は便器本体の上面よりわずかに高い位置に立ち上がっているだけである。このため、この便器装置は、肘掛部を便器使用者が肘をもたせ掛けやすい高さに位置させるために、肘掛部材が張出部と立ち上り部を有している。このため、この便器装置は、肘掛部材の張出部と立ち上り部が露出し、肘掛部材が便座よりも左右外方向に張り出しているため、デザイン性に劣っている。また、この便器装置は、狭いトイレ室に設置された便器本体に固定する場合、肘掛部材が便座よりも左右外方向に張り出しているため、肘掛部とトイレ室の壁面との間隔が狭くて肘掛部の使用に支障が生じたり、肘掛部材がトイレ室の壁面に干渉して便器本体への固定が困難になったりするおそれがある。また、この便器装置は、肘掛部材の張出部と支持部材の左右両側部との接続部分が肘掛部から遠く離れている。このため、この便器装置は、肘掛部に力が加わると、肘掛部材の立ち上り部や張出部、張出部と支持部材の左右両側部との接続部分、及び支持部材に大きなモーメント力が加わる。よって、この便器装置は、肘掛部材及び支持部材の強度を高め、かつ肘掛部材の張出部と支持部材の左右両側部との接続を強度の高い構造にする必要があるため、大型化するおそれがある。便器装置が大型化すると、デザイン性が劣ったり、狭いトイレ室に設置された便器本体に固定する場合、肘掛部の使用に支障が生じたり、便器本体への固定が困難になったりするおそれがある。
【０００５】
本発明は、上記従来の実情に鑑みてなされたものであって、便器本体に固定して肘掛部材を良好に使用することができる便器装置を提供することを解決すべき課題としている。
【課題を解決するための手段】
【０００６】
本発明の便器装置は、便鉢部を有する便器本体の上面に載置されて固定される便器装置であって、
前記便器本体に固定された際、
前記便鉢部の上方で起伏する便座と、
この便座の横幅寸法と同じ横幅寸法であり、前記便器本体の後部上面から上方に伸びる支持部材と、
この支持部材に取り付けられ、この支持部材の左右側部の少なくとも一方から前方に伸びる肘掛部材と、
を備え、
前記支持部材は、前記便器本体の上面に固定され、前記肘掛部材を接続して支持するフレームと、このフレームを覆うカバーとを有しており、
前記肘掛部材は、前記フレームが有する縦フレームに接続されて前方に延びており、
前記カバーは、前記フレームと前記肘掛部材との接続部分を隠蔽している。
【０００７】
この便器装置は、便座の横幅寸法と同じ横幅寸法の支持部材の左右側部の少なくとも一方から肘掛部材が前方に伸びているため、狭いトイレ室であっても、肘掛部材を良好に使用することができ、便器本体へ固定することができる。なお、支持部材の横幅寸法は、厳密に便座の横幅寸法と同じであることに限らず、便座を起立させた際に支持部材の左右側部の少なくとも一方から伸びた肘掛部材が干渉しない最小寸法より大きく、便座の横幅寸法よりも僅かに大きい最大寸法より小さければよい。また、この便器装置は支持部材の左右側部の少なくとも一方から肘掛部材が前方に伸びているため、デザインがすっきりとしている。
さらに、本発明の便器装置の支持部材は、便器本体の上面に固定され、前記肘掛部材を接続して支持するフレームと、このフレームを覆うカバーとを有し得る。肘掛部材は、フレームが有する縦フレームに接続されて前方に延びていてもよい。このため、肘掛部材と縦フレームとを接続する部分にかかるモーメント力を小さく抑えることができる。
さらに、この便器装置は、カバーによって、フレームと肘掛部材との接続部分を隠ぺいする。このため、この便器装置は、フレームによって肘掛部材が必要な強度を有しつつ、すっきりとしたデザインにすることができる。
【０００８】
したがって、この便器装置は便器本体に固定して肘掛部材を良好に使用することができる。
【図面の簡単な説明】
【０００９】
【図１】実施例１の水洗式便器を示す斜視図である。
【図２】実施例１の水洗式便器を示す正面図である。
【図３】実施例１の水洗式便器を示す一部透視図である。
【図４】実施例１の便器装置であって、カバーを取り外した状態を示す斜視図である。
【図５】実施例１の便器装置のフレーム、便座、及びベースプレートを示す斜視図である。
【図６】実施例１の便器装置のフレーム及び肘掛部材を示す分解斜視図である。
【発明を実施するための形態】
【００１０】
本発明における好ましい実施の形態を説明する。
【００１１】
本発明の便器装置の肘掛部材は、外側に広がりながら湾曲した構成としてもよい。この場合、この便器装置は、肘掛部材を直線状のデザインとした場合と比較して、やわらかな印象を与えることできる。
また、本発明の便器装置は、便鉢部に洗浄水を供給する洗浄装置を備え得る。前記カバーは、前記洗浄装置の前方側を覆う背もたれ部材を有し得る。この場合、この便器装置は、背もたれ部材によって洗浄装置が前方から見えないようにすることができる。このため、洗浄装置の前方側を覆う部材と背もたれ部材とを別々に設ける場合と比較して、構成を簡素化することができる。
【００１２】
本発明の便器装置の洗浄装置は、前記カバーに覆われ得るとともに、前記便器本体の後部上面に固定され得る。この場合、この便器装置は、便器本体の上面に載置され固定されたフレームと洗浄装置とが同じカバーで覆われるため、すっきりとしたデザインにすることができる。
【００１３】
本発明の便器装置のフレームは前記洗浄装置を前記便器本体の後部上面に固定するとともに前記便器本体に固定され得る。この場合、この便器装置はフレームを便器本体の上面に手間を要さずに固定することができる。
【００１４】
次に、本発明の便器装置を便器本体に取り付けた水洗式便器を具体化した実施例１について、図面を参照しつつ説明する。
【００１５】
＜実施例１＞
実施例１の水洗式便器は、図１〜図３に示すように、便器本体１及び便器装置１０を具備している。便器本体１は、便鉢部３、便鉢部３の下流側に連通する便器排水路（図示せず）、及び便鉢部３と便器排水路の前後左右を覆う側壁部５を有している。
【００１６】
便器装置１０は、図１〜図６に示すように、便座２０、支持部材３０、一対の肘掛部材６０，６０、洗浄装置である洗浄タンク７０、図示しない局部洗浄装置、及びベースプレート８０を備えている。支持部材３０は、図３に示すように、フレーム４０とカバー５０とを有している。
【００１７】
フレーム４０は、図４〜図６に示すように、載置面部４１、２本の縦フレーム４２，４２、及び２本の横フレーム４３，４４を有している。載置面部４１は略四角形状の金属板を便器本体１の後部上面に載置し固定された際に左右端部に位置する両端部が上方に折り曲げられた屈曲片４１Ａを形成している。また、載置面部４１は前後に位置する両端部の中央部を切り欠かいた凹部４１Ｂ，４１Ｃを形成している。載置面部４１は後述するベースプレート８０が上側に重ねられる。載置面部４１の前側の凹部４１Ｂはベースプレート８０の上面に載置され固定された局部洗浄装置の洗浄ノズル（図示せず）が便鉢部３内に伸び出るための隙間を形成するものである。また、載置面部４１の後ろ側の凹部４１Ｃはベースプレート８０の上面に載置され固定された洗浄タンク７０の排水口７１Ａが便器本体１の便鉢部３に通じる流路の流入口に接続するための空間を形成するものである（図３参照）。
【００１８】
各縦フレーム４２は、図５及び図６に示すように、第１縦フレーム１４２と第２縦フレーム１４３とから構成されている。第１縦フレーム１４２は略長方形状の金属板を長辺に沿って短辺方向の両端を同じ方向に折り曲げて形成されている。第２縦フレーム１４３は、第１縦フレーム１４２の中央面１４２Ａの形状と略同じ長方形状の金属板であり、第１縦フレーム１４２の折り曲げ部分１４２Ｂの間に収納されて第１縦フレーム１４２の中央面１４２Ａに重なるように第１縦フレーム１４２に組み付けられている。各縦フレーム４２は、第１縦フレーム１４２の中央面１４２Ａが左右方向の外側に位置し、第２縦フレーム１４３が左右方向の内側に位置した状態で、下端部を載置面部４１の左右両端部の上面に接合して立ち上っている。２本の縦フレーム４２，４２は、載置面部４１を便器本体１の後部上面に載置し固定した際、前後方向が同じ位置で互いに平行に立ち上がる。各第１縦フレーム１４２は中央面１４２Ａの上部に後述する肘掛部材６０の接続凸部６３が挿通する四角形状の開口１４２Ｃが設けられている。この開口１４２Ｃが設けられる位置は、この開口１４２Ｃを挿通し、第２縦フレーム１４３に接続されて前方に伸びる肘掛部材６０が、便座２０に着座した便器使用者の肘をもたせかけやすい高さになるように設定されている。また、各第２縦フレーム１４３は、第１縦フレーム１４２の開口１４２Ｃから望む位置であって、前後かつ上下に対して斜めの位置に２個の貫通孔１４３Ａが貫設されている。また、各第２縦フレーム１４３は貫通孔１４３Ａと同軸に同じ内径寸法のナット１４４を内側面に接合している。
【００１９】
２本の横フレーム４３，４４は、図５及び図６に示すように、２本の縦フレーム４２，４２の上端部を連結した第１横フレーム４３と、２本の縦フレーム４２，４２の中間部を連結した第２横フレーム４４である。第１横フレーム４３は、略長方形状の金属板を短辺方向の中央部で長辺に沿って折り曲げて、２本の縦フレーム４２，４２を連結した際の上面部４３Ａと前面部４３Ｂとを形成している。また、第１横フレーム４３は、上面部４３Ａの両端を折り曲げて、２本の縦フレーム４２，４２の中央面１４２Ａの外側に重なって接合された折返し部４３Ｃを形成している。第２横フレーム４４は、略長方形状の金属板を短辺方向の中央部で長辺に沿って折り曲げて、２本の縦フレーム４２，４２を連結した際の上面部４４Ａと前面部４４Ｂとを形成している。また、第２横フレーム４４は、前面部４４Ｂの両端部から上方向に伸びる一対の上昇片４４Ｃ，４４Ｃ、及び各上昇片４４Ｃよりも内側で前面部４４Ｂから下方に伸びる一対の垂下片４４Ｄ，４４Ｄを形成している。各上昇片４４Ｃは、上端部が第１縦フレーム１４２の係止片に係合し、第１縦フレーム１４２の折り曲げ部分１４２Ｂの前面に当接して接合されている。各垂下片４４Ｄは後述する便座２０を回動自在に軸支する回動装置を固定している。
【００２０】
便座２０は、樹脂製であり、図１に示すように、便器装置１０が便器本体１に固定された際、倒伏状態で便鉢部３の上面に位置する。便座２０は、図４及び図５に示すように、左右後端部が第２横フレーム４４の各垂下片４４Ｄに固定された回動装置に軸支され、倒伏状態と起立状態との間を回動する。
【００２１】
洗浄タンク７０は、図３及び図４に示すように、タンク本体７１、内蓋７３、給水装置７５、開閉弁（図示せず）、及び操作ハンドル７７Ａを具備した駆動装置７７を有している。タンク本体７１は、樹脂製であり、排水口７１Ａが下端部に開口している。タンク本体７１はベースプレート８０に設けられた貫通孔８０Ａ（図５参照）に排水口７１Ａを挿入した状態でベースプレート８０に載置され固定されている。ベースプレート８０は樹脂製である。ベースプレート８０はフレーム４０の載置面部４１の上側に重ねられている。ベースプレート８０は下方に伸びる４本の取付ボルト８１，８１，８１，８１が取り付けられている（図５参照）。各取付ボルト８１はフレーム４０の載置面部４１に設けられた貫通孔を挿通している。内蓋７３は、樹脂製であり、タンク本体７１の上端に着脱自在に載置され、タンク本体７１の上端開口を塞ぐことができる。給水装置７５は、タンク本体７１の上部に設けられ、タンク本体７１に洗浄水を供給する。開閉弁は排水口を開閉する。駆動装置７７は、図示しない水洗式便器のリモートコントローラーに設けられた洗浄スイッチが操作されると、電動で給水装置７５及び開閉弁が作動して便器洗浄を実行する。また、駆動装置７７は操作ハンドル７７Ａを便器使用者等が手動で操作しても給水装置７５及び開閉弁が作動して便器洗浄を実行する。操作ハンドル７７Ａは後述するカバー５０の側面部材５３の右側面部の外側に取り付けられる。
【００２２】
カバー５０は、図１〜図３に示すように、洗浄タンク７０の前方側を覆う背もたれ部材５１、洗浄タンク７０の左右及び後方を覆う側面部材５３、及び洗浄タンク７０の上方側を覆う蓋部材５５を有している。背もたれ部材５１は、樹脂製であり、前面部がクッション性を有している。背もたれ部材５１は、洗浄タンク７０の前方に取り付けられた状態で、正面視形状が略四角形状である。背もたれ部材５１は左右端部が後述する側面部材５３の左右側面部５３Ｌ，５３Ｒよりも左右方向に突出している。また、背もたれ部材５１は上端部が蓋部材５５よりも上方向に突出している。また、背もたれ部材５１は下端部が便座２０の後端上面に沿って配置されている。この背もたれ部材５１は、図３に示すように、第１横フレーム４３及び第２横フレーム４４に固定金具５１Ａを介して着脱自在に取り付けられている。この背もたれ部材５１は便座２０に着座した便器使用者が背中をもたせかけることができる。
【００２３】
側面部材５３は、樹脂製であり、図１及び図３に示すように、左右側面部５３Ｌ，５３Ｒ、及び左右側面部５３Ｌ，５３Ｒの後端部から湾曲しながら連続する後側面部５３Ｂを有している。側面部材５３の左右側面部５３Ｌ，５３Ｒは便座２０の横幅寸法よりも僅かに狭い間隔を有している（図２参照）。側面部材５３の左右側面部５３Ｌ，５３Ｒは後述する肘掛部材６０の接続凸部６３が挿通する第１開口が設けられている。また、側面部材５３の右側面部５３Ｒは操作ハンドル７７Ａの軸部が挿通する第２開口が設けられている。側面部材５３はベースプレート８０の左右及び後側面８０Ｓに下端内面が当接して固定されている。蓋部材５５は、樹脂製であり、側面部材５３の上端面に載置され、背もたれ部材５１と側面部材５３との間に形成された上部開口を塞いでいる。
【００２４】
肘掛部材６０は、図６に示すように、肘掛本体６１、接続凸部６３、キャップ部材６５、及びボルト６７を有している。肘掛本体６１は、表面が樹脂製であり、クッション性を有しており、内部に強度を有する芯材が挿入されている。肘掛本体６１は、支持部材３０であるフレーム４０の縦フレーム４２に接続された状態で、図１及び図２に示すように、カバー５０の側面部材５３の左右側面部５３Ｌ，５３Ｒに当接する基端部の端面６１Ｂから先端部にかけて、外側に広がりながら内方向に湾曲している。接続凸部６３は、図６に示すように、肘掛本体６１の基端部の端面６１Ｂから突出しており、フレーム４０の第１縦フレーム１４２に設けられた開口１４２Ｃと同じ断面形状を有している。肘掛本体６１は、接続凸部６３が形成されている基端部の端面６１Ｂと反対側の側面に開口し、接続凸部６３内に入り込んだ凹部６１Ａが形成されている。接続凸部６３は先端面にボルト６７が挿通する２個の貫通孔が設けられている。これら貫通孔は凹部６１Ａに挿入したボルト６７の軸部が挿通する。キャップ部材６５は肘掛本体６１の凹部６１Ａに挿入して凹部６１Ａの開口を閉鎖することができる。
【００２５】
次にこの便器装置１０の組み立て手順について説明する。
先ず、この便器装置１０は、フレーム４０を構成する載置面部４１と、２本の縦フレーム４２，４２とが接合されており、この状態で４本の取付ボルト８１，８１，８１，８１を載置面部４１に取り付ける。次に、フレーム４０の載置面部４１の上側にベースプレート８０を重ねて組み付ける。次に、図４に示すように、洗浄タンク７０の排水口７１Ａをベースプレート８０の貫通孔８０Ａに挿入しつつ、洗浄タンク７０をベースプレート８０に固定する。次に、フレーム４０を構成する第１横フレーム４３を２本の縦フレーム４２，４２にビス固定する。次に、カバー５０の側面部材５３に設けられた第２開口に軸部を挿通させて操作ハンドル７７Ａが取り付けられたカバー５０の側面部材５３をベースプレート８０に固定する。次に、第２横フレーム４４の垂下片４４Ｄに固定された回転装置に便座２０を軸支した便座ユニットを２本の縦フレーム４２，４２にビス固定する。次に、背もたれ部材５１を２本の縦フレーム４２，４２、及び第１横フレーム４３にビス固定する。そして、蓋部材５５をカバー５０の側面部材５３の上端面に載置して、工場の組立工程おける便器装置１０の組み立てを終了する。
【００２６】
肘掛部材６０の取り付けは、水洗式便器を施工する現場において、次に説明するように行われる。
先ず、便座２０が取り付けられている方向（前方向）に先端部が位置するように各肘掛部材６０の接続凸部６３をカバー５０の側面部材５３の左右側面部５３Ｌ，５３Ｒに設けられた第１開口及び各第１縦フレーム１４２に設けられた開口１４２Ｃに挿通させる。次に、肘掛本体６１の凹部６１Ａに挿入したボルト６７の軸部を肘掛本体６１の接続凸部６３に設けられた貫通孔に挿通させ、第２縦フレーム１４３に接合されたナット１４４にねじ込んで、第２縦フレーム１４３に接続凸部６３を接続し、肘掛部材６０をフレーム４０及びカバー５０とからなる支持部材３０に取り付ける。そして、キャップ部材６５を肘掛本体６１の凹部６１Ａに挿入して凹部６１Ａの開口を閉鎖する。このようにして、肘掛部材６０は、肘掛本体６１の基端部の端面６１Ｂがカバー５０の側面部材５３の左右側面部５３Ｌ，５３Ｒに当接した状態に取り付けられる。また、肘掛本体６１の基端部の端面６１Ｂとカバー５０の側面部材５３の左右側面部５３Ｌ，５３Ｒとが当接している部分が背もたれ部材５１の左右側面部よりも内側に位置しているため、肘掛部材６０がカバー５０に接続している部分を前方からの視認することができない。
【００２７】
次に、このようにして組み立てられた便器装置１０の便器本体１への固定手順について説明する。
肘掛部材６０等を持ち手にして便器装置１０を持ち上げ、トイレ室内の床面に固定された便器本体１の後部上面に設けられた４個の固定孔（図示せず）に便器装置１０の下方に突出した各取付ボルト８１を挿通しつつ、便器装置１０を便器本体１の後部上面に載置する。次に、便器本体１の各固定孔を挿通した各取付ボルト８１の下方からナットを締めつけて便器装置１０の便器本体１への固定を完了する。このように、この便器装置１０は洗浄タンク７０を便器本体１の後部上面に固定するとともにフレーム４０を固定することができる。
【００２８】
この便器装置１０は、図２に示すように、便座２０の横幅寸法よりも僅かに狭い間隔を有したカバー５０の側面部材５３の左右側面部５３Ｌ．５３Ｒから肘掛部材６０が前方に伸びている。このため、狭いトイレ室であっても、肘掛本体６１に肘をもたせかけることができ、肘掛部材６０を良好に使用することができ、便器本体１へ固定することができる。なお、支持部材３０であるカバー５０の側面部材５３の横幅寸法は便座２０が起立させた際に肘掛部材６０が干渉しない最小寸法よりも大きい。また、この便器装置１０は支持部材３０であるカバー５０の側面部材５３の左右側面部５３Ｌ，５３Ｒから肘掛部材６０が前方に伸びているため、デザインがすっきりとしている。さらに、この便器装置１０は、各肘掛部材６０を接続して支持する各縦フレーム４２から肘掛部材６０が前方に伸びているだけであるため、肘掛部材６０の接続凸部６３と縦フレーム４２とを接続する部分にかかるモーメント力が大きくない。このため、この便器装置１０は強度を確保するために大型化する必要がない。
【００２９】
したがって、実施例１の便器装置１０は便器本体１に固定して肘掛部材６０を良好に使用することができる。
【００３０】
また、この便器装置１０は、フレーム４０よって強度を確保し、カバー５０によって、フレーム４０及びフレーム４０と肘掛部材６０との接続部分を隠ぺいしている。このため、この便器装置１０は、肘掛部材６０が必要な強度を有しつつ、すっきりとしたデザインにすることができる。
【００３１】
また、この便器装置１０は、便器本体１の上面に載置され固定されたフレーム４０と洗浄タンク７０とが同じカバー５０で覆われているため、すっきりとしたデザインにすることができる。
【００３２】
また、この便器装置１０は、洗浄タンク７０を便器本体１の後部上面に固定するとともにフレーム４０を固定するため、フレーム４０を便器本体１の上面に手間を要さずに固定することができる。
【００３３】
本発明は上記記述及び図面によって説明した実施例１に限定されるものではなく、例えば次のような実施例も本発明の技術的範囲に含まれる。
（１）実施例１では、支持部材がフレームとカバーとを有していたが、強度を有していれば洗浄装置等を覆うカバーのみで支持部材を構成してもよい。
（２）実施例１では、カバーが背もたれ部材、側面部材、及び蓋部材を別々に有していたが、背もたれ部材と側面部材とを一体に形成してもよい。また、背もたれ部材でなく、フレームや洗浄タンクなどを覆うだけのカバーであってもよい。
（３）実施例１では、便器洗浄装置をカバーで覆っていたが、便器洗浄装置を覆わず、フレームと局部洗浄装置等をカバーで覆うようにしてもよい。
（４）実施例１では、洗浄タンクを便器本体の後部上面に固定するとともにフレームが便器本体に固定されたが、洗浄タンクとフレームとを別々に便器本体に固定してもよい。
（５）実施例１では、便器洗浄装置が洗浄タンクであったが、便器洗浄装置は給水源に直結されたバルブ装置であってもよい。
（６）実施例１では、便器装置が便蓋を有していなかったが、便蓋を有していてもよい。
（７）実施例１では、フレームは、載置面部、２本の縦フレーム、２本の横フレームを有していたが、フレームの形態は肘掛部材を支持する強度を有するものであれば形態は限らない。
（８）実施例１では、水洗式の便器本体に便器装置を取り付けたが、便鉢部を有する便器本体であれば水洗式でなくてもよい。
（９）実施例１では、便器装置が支持部材であるフレームとカバーの左右側部から前方に伸びる一対の肘掛部材を備えていたが、肘掛部材を支持部材の左右側部の一方のみに取り付けてもよい。
【符号の説明】
【００３４】
１…便器本体
３…便鉢部
１０…便器装置
２０…便座
３０…支持部材
４０…フレーム
５０…カバー
６０…肘掛部材
７０…洗浄タンク（洗浄装置）
【図１】
0006440534.tif 000002
【図２】
0006440534.tif 000003
【図３】
0006440534.tif 000004
【図４】
0006440534.tif 000005
【図５】
0006440534.tif 000006
【図６】
0006440534.tif 000007